(57)【要約】      （修正有）【課題】研究者交流支援システムを提供し、ユーザの研究および共同研究者探しおよび共同研究を支援すること。【解決手段】参加する研究者は研究分野や研究に関する嗜好を入力するとともに既読論文や執筆した論文ならびに著書の情報および時期を入力し、そのデータはユーザ情報入力部１１によりシステムのユーザ情報解析部１２に送信され、ユーザ情報データベース１３に格納され、他のユーザの情報とマッチング部１６のマッチング則により計算し、適当な研究者を推薦し、研究者交流機構１８において引き合わせ、ユーザのスケジュール情報が入力されていれば、学術会議等において実際に引き合わせるための支援も可能であり、その結果は情報出力部１９によりユーザに出力され、上記、研究者交流機構１８による交流の状況を履歴解析部１７により解析し、ユーザの嗜好を特徴付けるために、ユーザ情報データベース１３のユーザ情報を更新する。【選択図】図１
2007328753.tif 000002
【特許請求の範囲】
【請求項１】
複数の専門的知識を有するユーザが類似したユーザ同士知り合うことができる事を支援する研究者交流機構と、
それらの交流機構において実際にユーザ同士を紹介するために用いるユーザ情報入力部から入力されたユーザ情報を格納するユーザ情報データベースと、
格納する際にユーザの情報を解析するユーザ情報解析部ならびにユーザが本研究者交流支援システムを用いた履歴を解析する履歴解析部と、
そのユーザ情報データベースに格納されている情報に基づきユーザを引き合わせるマッチング部と、
実際に研究者交流機構を用いるに際し、ユーザの利用を支援するためにユーザの意図を効果的に引き出す要望情報処理部を少なくとも具備した研究者交流支援システム。
【請求項２】
前記、ユーザが入力する自らの専門分野、専門領域、興味に関するキーワード、読んだ書籍の一覧、読んだ書籍の分野との関係性を示す順位、読んだ論文の一覧、読んだ論文の分野を示す順位、読んだ論文のうち関心が高いものの順位、執筆した書籍、執筆した論文を総合的に解析し、時系列ベースの解析結果を出力する請求項１記載の研究者交流支援システム。
【請求項３】
前記ユーザが入力した情報をユーザ情報データベースに格納するまでに、ユーザ情報解析部において多次元のベクトルで表すとともに、度合いを数値化する事で、ある時点のユーザの興味関心を示す事と、
それを時間とともに解析し、どのようにユーザの興味が変化しているのかを解析できる請求項１記載の研究者交流支援システム。
【請求項４】
前記ユーザが、請求項１の研究者交流支援システムを用い、実際に交流した研究者の特性に関して解析する履歴解析部を具備する請求項１記載の研究者交流支援システム。
【請求項５】
上記ユーザ情報データベースに格納されている情報を用いて、関連性の高いユーザを探索するマッチング部と、
マッチング部でペアになった各ユーザを紹介するために電子メイルを送信することができる機能を持つ請求項１の研究者交流支援システム。
【請求項６】
上記ユーザ情報データベースとユーザのニーズの乖離を補正するためにユーザに要望を入力させる要望情報入力部と、
その入力情報がキーワードとして存在する場合、自動的にユーザの情報が更新され、その入力情報が文章である場合、管理者に送信される請求項１記載の研究者交流支援システム。
【発明の詳細な説明】
【技術分野】
【０００１】本発明は、オンライン上の研究者が、研究者交流支援システムに入力されたユーザ情報に基づいてそれぞれの多様な嗜好が解析され、解析結果に基づいて研究者同士を引き合わせるとともに嗜好の変遷や交流の履歴と成功や失敗の履歴ならびにその時々の研究者の要望を入力する事で、総合的にユーザのニーズを抽出でき、共同研究者を探したり、共同研究を実施するにあたり、効果的な研究者交流を支援できる研究者交流支援システム。
【背景技術】
【０００２】研究者が自らの研究を広げたり進展させたりするために、共同研究者との研究による研究の促進が考えられるが、実際に共同研究者を探す場合、学術会議等での交流が考えられるが、多くの研究者にとって、一同が会する場をもうける事は困難であるとともに、積極的に交流する状況を作り出す事は困難であり、計算機によりそれを支援する事は、ユーザの場所を問わず利用でき、研究活動の進展や研究の発展において望ましく、科学の発展に寄与でき望ましい。【０００３】特定の研究に関して、研究者自らが保持している興味や関心を分析し、類似した研究または先行した研究を行った事がある研究者を紹介する事は、多様な視点での研究の進展につながり、そのようなことは望ましい。【０００４】研究者にとって、ある特定の研究テーマに関しては、それぞれに所有する知識が異なり、研究に対する意欲も異なる上に、ユーザが所有する関連する分野の知識量などを鑑みれば、紹介された研究者同士にとって利益になるようなマッチング手法が望ましい。【０００５】システムによるユーザの嗜好の解析は、研究者を引き合わせるために不可欠であると考えられるが、研究者の嗜好は時間とともに変化していると考えられるため、時系列でその興味や関心の分野や度合いを解析する事が望ましいだけではなく、現在の時点でユーザがとりわけ重視している関心事があればそれを入力させて総合的にマッチングに利用する事が望ましい。【０００６】研究者を支援することを目的とした研究業務支援装置及び研究業務遂行方法に関する特許として特開２００３−４４６４３号があるが、単に新しく作成された文書を早く研究者に提供するためのシステムであり、ここでのシステムは共同研究に関わるものではなく、書籍等の取引との関係性も一切なく、特開２００３−４４６４３号の技術区分を分けてそこに属する分野の文書を提供する事自体が創造的な活動を遮り、本申請のごとき統合的な推薦、研究者の紹介など特開２００３−４４６４３号のごとき発明により実現する事は不可能である。【０００７】研究者同士の出会いや知識交換をすることを支援することに関する特許として、特開２００１−１９５４３０号の知識共有促進システムがあるが、単にエージェントとの擬似的な会話とユーザの履歴情報の提供にとどまっており、ここにみられる装置では、研究者の共同研究促進は目的にされておらず、またそれを実施できず、研究者間の共同研究のために興味や関心に基づいた研究者のマッチングは一切考慮されておらず、特開２００１−１９５４３０号ごとき発明により協力的な研究活動を効果的に行うことは不可能である。【０００８】そこで、研究者交流支援システムに係り、特に、研究者があらかじめ入力した興味および関心、研究者の既読の論文及び書籍、それらに関する選好順位、執筆した論文および書籍、それらの情報を時系列ベースに解析し、また研究者の現時点での興味および関心に基づいた総合的情報に基づいた研究者のマッチングを実現するための研究者交流支援システムが望まれる。
【発明が解決しようとする課題】
【０００９】この発明は、上記の点に鑑みなされたもので、研究者があらかじめ入力した興味および関心、研究者の既読の論文及び書籍、それらに関する選好順位、執筆した論文および書籍、それらの情報を時系列ベースに解析し、また研究者の現時点での興味および関心に基づいた総合的情報に基づいた研究者のマッチングを実現するための研究者交流支援システムを提供することを目的とする。
【課題を解決するための手段】
【００１０】このような技術的課題は本発明によって有効に解決できるものである。本発明に係る研究者支援システムの一例では、複数のユーザそれぞれがある時点までに読んだ書籍および論文の一覧、それらに関する順位付け情報、ユーザがこれまでに執筆した論文及び書籍ならびに既に交流した研究者のリスト、初期の時点で入力するユーザの嗜好に関わる情報を解析するユーザ情報解析部ならびに履歴解析部を具備し、それらの解析部において時系列ベースにユーザの選好情報が抽出、整理され、また現時点での最新のユーザの嗜好を入力し解析する要望情報処理部を具備し、あるユーザの性質や特徴を表す情報に基づき他のユーザとマッチンッグを行い、研究者の出会いと交流を支援するとともに、共同研究が促進されたり、効果的な研究が実施および促進される研究者交流支援システム。
【発明を実施するための最良の形態】以下、図面を参照して本発明の実施例について説明する。【００１１】図１は、本発明に係る研究者交流支援システムの一実施例を示すブロック図である。まず、端末１０からユーザが入力した自らの個人情報として、研究分野や研究に関する嗜好を入力するとともに既読論文や執筆した論文ならびに著書の情報および時期を入力し、そのデータはユーザ情報入力部１１によりシステムのユーザ情報解析部１２に送信される。【００１２】ユーザ情報解析部１２によりユーザの情報を解析し、時間とともに変化する嗜好が解析され、ユーザ情報データベース１３に格納できる形式に整形され、その後ユーザ情報データベース１３に格納される。【００１３】リアルタイムな嗜好の変化に対応するために、要望情報入力部１４において、ユーザの現時点における嗜好を入力させる。【００１４】要望情報入力部１４により入力された情報は、それがドキュメントのような長い文章であれば、要望情報処理部１５により形態素解析やフィルタリング技術などによりキーワード化され、ユーザ情報データベース１３に格納される。【００１５】他のユーザの情報とマッチング部１６のマッチング則により計算し、適当な研究者を推薦し、研究者交流機構１８において引き合わせる。【００１６】研究者交流機構１８ではチャットや電子メイルなどの機能を具備したコミュニケーションが可能であるとともに、ユーザのスケジュール情報が入力されていれば、学術会議等において実際に引き合わせるための支援も可能であり、その結果は情報出力部１９によりユーザに出力される。【００１７】上記、研究者交流機構１８による交流の状況を履歴解析部１７により解析し、ユーザの嗜好を特徴付けるために、ユーザ情報データベース１３のユーザ情報を更新する。【００１８】図２は、図１のマッチング部１６の詳細の一例を示した図である。図２のマッチング部２０において、対象となるユーザの嗜好の順位付けや数値化に基づいたマッチング則２２と、なにかしらの優先順位を重要視するユーザまたは管理者にとって、それに基づき推薦する研究者を決定する優先順位選択則２１と、過去に紹介したユーザまたは酷似するユーザを除外するための計算則である重複削除則２３を具備し、これらの計算則によりマッチングが行われる。【００１９】図３は、図１のユーザ情報解析部１２の一例を示したものである。図３のユーザ情報解析部３０は、複数の計算則により解析が実施され、既読文献解析則３１と選好順序解析則３２と執筆記事解析則３３の各データ解析し、さらにそれらを総合的に解析するための総合的解析則３４により、解析が行われる。
【発明の効果】
【００２０】以上述べたように本発明に係る研究者支援システムは研究者が自らの研究を広げたり進展させたりするために、共同研究者との研究による研究の促進が考えられるが、実際に共同研究者を探す場合、学術会議等での交流が考えられるが、多くの研究者にとって、一同が会する場をもうける事は困難であるとともに、積極的に交流する状況を作り出す事は困難であり、計算機によりそれを支援する事は、ユーザの場所を問わず利用でき、研究活動の進展や研究の発展を支援でき、科学の発展に寄与できる。
【００２１】特定の研究に関して、研究者自らが保持している興味や関心を分析し、類似した研究または先行した研究を行った事がある研究者を紹介する事は、多様な視点での研究の進展につながる。
【００２２】研究者にとって、ある特定の研究テーマに関しては、それぞれに所有する知識が異なり、研究に対する意欲も異なる上に、ユーザが所有する関連する分野の知識量などを鑑みれば、紹介された研究者同士にとって利益になるようなマッチング手法を提供する事が可能である。
【００２３】以上より、研究者交流支援システムに係り、特に、研究者があらかじめ入力した興味および関心、研究者の既読の論文及び書籍、それらに関する選好順位、執筆した論文および書籍、それらの情報を時系列ベースに解析し、また研究者の現時点での興味および関心に基づいた総合的情報に基づいた研究者のマッチングを実現でき、研究者が交流することが可能となる。
【図面の簡単な説明】
【００２４】
【図１】本発明に係る研究者交流支援システムを示す回路ブロック図。
【図２】本発明に係る研究者交流支援システムのマッチング部の詳細を示す回路ブロック図。
【図３】本発明に係る研究者交流支援システムのユーザ情報解析部の詳細を示す回路ブロック図。
【００２５】１０・・・端末
１１・・・ユーザ情報入力部
１２・・・ユーザ情報解析部
１３・・・ユーザ情報データベース
１４・・・要望情報入力部
１５・・・要望情報処理部
１６・・・マッチング部
１７・・・履歴解析部
１８・・・研究者交流機構
１９・・・情報出力部
２０・・・マッチング部
２１・・・優先順位選択則
２２・・・マッッチング則
２３・・・重複削除則
３０・・・ユーザ情報解析部
３１・・・既読文献解析則
３２・・・選好順序解析則
３３・・・執筆記事解析則
３４・・・総合的解析則
【図１】
2007328753.tif 000003
【図２】
2007328753.tif 000004
【図３】
2007328753.tif 000005